(57)【要約】【課題】  軸用止め輪の着脱工具の機能と穴用止め輪着脱工具の機能を併せ持ち、Ｃ型止め輪が変形脱落することなくスムーズに着脱することができ、また、止め輪サイズに制約が無く、１つの工具で全てのサイズのＣ型止め輪を着脱することができるＣ型止め輪の脱着工具を提供する。【解決手段】  先端に１対の係止孔を有するＣ型止め輪４を脱着するＣ型止め輪の脱着工具において、その係止部本体６の先端には１対の係止ピン１ａを有する係止部１と、この係止部１において支点軸３と保持部固定ピン５とで連結された１対の保持部２を有する。【選択図】  図１
2006088262.tif 000002
【特許請求の範囲】
【請求項１】
両先端部に夫々係止孔を有するＣ型止め輪を脱着するＣ型止め輪の脱着工具において、
先端に係止部を備えた２本の係止部本体を支点軸により回動自在に連結した係止手段と、先端に保持部を備えた２本の保持部本体を上記支点軸により回動自在に連結した保持手段と、を備え、
前記２本の係止部本体は、夫々前記２本の保持部本体と保持部固定ピンにて連結され、該係止部本体及び保持部本体を接近させた際に前記２つの係止部は離間し、前記２つの保持部は接近することを特徴とするＣ型止め輪の脱着工具。
【請求項２】
前記２本の係止部本体は、前記支点軸を中心に＞＜形状に連結されていることを特徴とする請求項１記載のＣ型止め輪の脱着工具。
【請求項３】
前記２本の保持部本体は、前記支点軸を中心にＸ字形状に連結されていることを特徴とする請求項１記載のＣ型止め輪の脱着工具。
【請求項４】
前記保持部には、保持爪を有することを特徴とする請求項３記載のＣ型止め輪の脱着工具。
【発明の詳細な説明】
【技術分野】
【０００１】
本発明は、軸状ワークの外周部にＣ型止め輪を拡張しながら容易に脱着するためのＣ型止め輪の脱着工具に関するものである。
【背景技術】
【０００２】
従来から、軸状ワークの外周部にＣ型止め輪を拡張しながら装着し、軸体やＥ型止め輪やその他の部品に変形やキズを与えることなく、Ｅ型止め輪を容易に、しかも、確実に圧入できるＥ型止め輪取り付け装置および冶具が提案されている（例えば、特許文献１および２参照）。
特許文献１では、軸状ワークの外周部に軸方向からＣ型止め輪を装着した冶具が開示されており、この冶具は軸状ワークの短部に当接して位置決めされる装着ガイド軸と、この装着ガイド軸の外周部に沿って軸方向に進退動可能な外筒体を設けている。
また、前記装着ガイド軸にＣ型止め輪が嵌め込まれる挿入部と、Ｃ型止め輪の内径を広げる拡径テーパ部と、この拡径テーパ部に連なりかつＣ型止め輪の内径より僅かに大径の大径部を設けるとともに、この大径部の端部を軸状ワークの端部に当接可能にし、挿入部から嵌め込まれたＣ型止め輪を外筒体に押圧し、拡径テーパ部から大径部を通して軸状ワークの装着部位に押し込むようにしている。
特許文献２では、軸体やＥ型止め輪やその他の部品に変形やキズを与えることなく、Ｅ型止め輪を容易に、しかも、確実に圧入できるＥ型止め輪取り付け装置が開示されている。
この開示では、複数のＥ型止め輪Ａをほぼ同一方向に揃えて保持する止め輪供給手段と、スライダと、このスライダの先端にあって、Ｅ型止め輪の先端の１つをその周縁で弾性的に保持する２枚の円弧状の弾性爪を備えた弾性保持手段と、軸体を遊嵌した状態に保持する軸体保持手段と、スライダの駆動手段とを有する構成となっている。
図１２は従来のリングセッタを示す概略図である。図１３は従来のリングセッタでのＣ型止め輪の歪みを示す概略図である。図１４はＣ型止め輪が歪んだ状態で、ワークにセットされた状態を示す概略図である。
図１２ないし図１４に示すように、従来、軸用のＣ型止め輪の脱着工具としてリングセッタ１０が知られている。このリングセッタ１０はＣ型止め輪１１の両先端部に設けた孔１１ａに挿入されて孔１１ａ間の開口部を拡径する。
しかしながら、このとき、図１３のようにＣ型止め輪１１が厚み方向へ歪み（１１ｂ）を起こし、その結果、ワーク１２へのセットミスが発生する。また、リングセッタ１０から外れて落下しやすい。
【特許文献１】特開平１１−３００６４５号公報
【特許文献２】特開２００１−２１２７７２公報
【発明の開示】
【発明が解決しようとする課題】
【０００３】
かかる問題を解決するために、特許文献１が知られているが、軸状ワークに工具との位置決め機構を設けなくてはならないためにワーク形状に制約がある。また、装着のみの工具であり、サイズ毎に複数の工具が必要である。
そこで、本発明の目的は、上述した実情を考慮して、軸用止め輪の着脱工具の機能と孔用止め輪着脱工具の機能を併せ持ち、Ｃ型止め輪が変形脱落することなくスムーズに着脱することができ、また、止め輪サイズに制約が無く、１つの工具で全てのサイズのＣ型止め輪を着脱することができるＣ型止め輪の脱着工具を提供することにある。
【課題を解決するための手段】
【０００４】
上記の課題を解決するために、請求項１に記載の発明は、両先端部に夫々係止孔を有するＣ型止め輪を脱着するＣ型止め輪の脱着工具において、先端に係止部を備えた２本の係止部本体を支点軸により回動自在に連結した係止手段と、先端に保持部を備えた２本の保持部本体を上記支点軸により回動自在に連結した保持手段と、を備え、前記２本の係止部本体は、夫々前記２本の保持部本体と保持部固定ピンにて連結され、該係止部本体及び保持部本体を接近させた際に前記２つの係止部は離間し、前記２つの保持部は接近することを特徴とする。
請求項２の発明は、請求項１において、前記２本の係止部本体は、前記支点軸を中心に＞＜形状に連結されていることを特徴とする。
請求項３の発明は、請求項１において、前記２本の保持部本体は、前記支点軸を中心にＸ字形状に連結されていることを特徴とする。
また、請求項４に記載の発明は、前記保持部には、保持爪を有する請求項３記載のＣ型止め輪の脱着工具を特徴とする。
【発明の効果】
【０００５】
本発明によれば、Ｃ型止め輪脱着工具は、軸用止め輪の着脱工具の機能と孔用止め輪着脱工具の機能を併せ持つ工具であって、Ｃ型止め輪を広げるための係止ピンと、Ｃ型止め輪が広がると同時に固定部が狭まり、その固定部によってＣ型止め輪を固定することができるために、Ｃ型止め輪の変形が起こらずワークに正確に装着することができる。また、Ｃ型止め輪サイズに制約が無く、１つの工具で全てのサイズのＣ型止め輪を着脱することができる。
【発明を実施するための最良の形態】
【０００６】
以下、図面を参照して、本発明の実施の形態を詳細に説明する。図１は本発明によるＣ型止め輪の脱着工具を示す側面図である。図２は図１のＣ型止め輪の脱着工具の上面図である。
図１および図２において、本発明によるＣ型止め輪の脱着工具は、先端に係止ピン１ａを備えた係止部１を有する係止部本体６上に先端に保持爪２ａを備えた保持部２を有する保持部本体７が支点軸３の回りに回転するように配置されかつ保持部固定ピン５とで連結された構成を有している。
つまり、着脱工具は、先端に係止部１を有した２本の係止部本体６、及び支点軸３等から成る係止手段アと、先端に保持部２を有した２本の保持部本体７、及び前記支点軸３等からなる保持手段イと、を備えている。
この場合に、係止手段アを構成する２本係止部本体６は、支点軸３を中心にして全体として概略＞＜形状を有するように連結されている。同様に、保持手段イを構成する保持部本体７は支点軸３を中心にして全体として概略Ｘ字形状（クロス形状）となるように連結されている。
つまり、支点軸３は係止部本体６と保持部本体７を貫通する軸であり、先端に係止部１を有した２本の係止部本体６は、図６に示す係止手段アの平面図のように連結されているため、２本の係止部本体６を掌で握って間隔を狭めると、２本の係止部１の間隔が拡大する。一方、図７の保持手段イの平面図に示すように先端に保持部２を有した２本の保持部本体７は、係止部本体６に対して夫々固定ピン５により連結されている一方で、支点軸３によりＸ字状に（鋏状に）クロスして連結されている。このため、２本の保持部本体７の間隔が狭まる方向に握りしめられると、先端の各保持部２は接近する方向へ回動する。
図３はＣ型止め輪に脱着工具をセットし、Ｃ型止め輪を広げたときの保持部の拡大斜視図である。図４はＣ型止め輪に脱着工具をセットしたときの保持部と係止ピンの位置関係図である。図５はＣ型止め輪を広げたときの保持部と係止ピンの位置関係図である。
図３ないし図５において、Ｃ型止め輪４の各係止孔４ａには各係止部１の係止ピン１ａが挿入され、図３においては保持部２先端が揃っている。図４においてはＣ型止め輪４の各係止孔４ａに挿入された各係止部１の係止ピン１ａが係止孔４ａを備えた止め輪４の両先端部間の間隔を開放し始めている。図３の符号ＡおよびＢはＣ型止め輪４の変形または脱落の方向を示している。
【０００７】
図５においてはＣ型止め輪４の係止孔４ａが挿入された係止部１の係止ピン１ａによって離間され、Ｃ型止め輪４のワーク（図示せず）への取り付けを許容する所定の間隔の開口部を保持し、保持部２先端が揃った状態になっている。
Ｃ型止め輪４の係止孔４ａに係止ピン１aを挿入し、係止部本体６を握ると、係止ピン１aが広がりＣ型止め輪４が開く。係止ピン１aが広がると同時に保持部２が狭まり、Ｃ型止め輪４が保持爪２ａとの間に収まる。
図５の状態に収まったＣ型止め輪４は、保持爪２ａと係止ピン１aがガイドになり変形脱落が起こらず、Ｃ型止め輪４をスムーズにワーク（図示せず）に装着できる。また、Ｃ型止め輪４をワークから取り外すときも、保持爪２ａと係止ピン１aがガイドになり変形脱落が起こらず、容易に取り外すことができる。
図６は図１および図２に示した脱着工具の係止手段アの単体を示す概略図である。図７は図１および図２に示した脱着工具の保持手段イの単体を示す概略図である。
図６の係止手段を構成する２本の係止部本体６上には、保持手段を構成する２本の保持部本体７が支点軸３の回りに回転するように配置される。
なお、図６および図７においては、図１および図２の脱着工具を構成するそれぞれの部分を分離した状態を示すのみであるので、図１および図２と同一部分には同一の符号を付してそれぞれの説明は省略している。
【０００８】
図８は本発明によるＣ型止め輪の脱着工具における保持部の保持爪の第１の実施の形態を示す部分概略図である。図９は本発明によるＣ型止め輪の脱着工具における保持部の保持爪の第２の実施の形態を示す部分概略図である。
図８におけるＣ型止め輪の脱着工具における保持部２の保持爪２ａは、Ｃ型止め輪４の両先端部の片側面を保持する構成である。図９におけるＣ型止め輪の脱着工具における保持部２の保持爪２ａはＣ型止め輪４の両側面を保持する構成である。
図１０は本発明によるＣ型止め輪の脱着工具における保持部の保持爪の第３の実施の形態を示す部分概略図である。図１１は図１０の保持爪によりＣ型止め輪を保持した状態を示す概略斜視図である。
図１０および図１１において、Ｃ型止め輪の脱着工具における保持部２の保持爪２ａはＣ型止め輪４の両先端部の両側面を横から包み込んで保持するように構成されている。
本発明によれば、係止ピン１ａは、係止部１とグリップである係止部本体６が＞＜形状に形成されているために、係止部本体６を握りしめたときに係止部１が拡開し、支点軸３を中心に止め輪を広げることができる。
また、保持部２は支点軸３を中心に保持部２と保持部本体７がＸ字形状に形成されていて、保持部本体７が接近した時に保持部２が接近し、保持爪２ａによって、Ｃ型止め輪４が図３のＡ、Ｂ方向へ変形脱落することを防止することができる。
【図面の簡単な説明】
【０００９】
【図１】本発明によるＣ型止め輪の脱着工具を示す側面図である。
【図２】図１のＣ型止め輪の脱着工具の上面図である。
【図３】Ｃ型止め輪に脱着工具をセットし、Ｃ型止め輪を広げたときの保持部の拡大斜視図である。
【図４】Ｃ型止め輪に脱着工具をセットしたときの保持部と係止ピンの位置関係図である。
【図５】Ｃ型止め輪を広げたときの保持部と係止ピンの位置関係図である。
【図６】図１および図２に示した脱着工具の係止部の単体を示す概略図である。
【図７】図１および図２に示した脱着工具の保持部の単体を示す概略図である。
【図８】本発明によるＣ型止め輪の脱着工具における保持部の保持爪の第１の実施の形態を示す部分概略図である。
【図９】本発明によるＣ型止め輪の脱着工具における保持部の保持爪の第２の実施の形態を示す部分概略図である。
【図１０】本発明によるＣ型止め輪の脱着工具における保持部の保持爪の第３の実施の形態を示す部分概略図である。
【図１１】図１０の保持爪によりＣ型止め輪を保持した状態を示す概略斜視図である。
【図１２】従来のリングセッタを示す概略図である。
【図１３】従来のリングセッタでのＣ型止め輪の歪みを示す概略図である。
【図１４】Ｃ型止め輪が歪んだ状態で、ワークにセットされた状態を示す概略図である。
【符号の説明】
【００１０】
１    係止部
１ａ  係止ピン
２    保持部
２ａ  保持爪
３    支点軸
４    Ｃ型止め輪
４ａ  Ｃ型止め輪の係止孔
５    保持部固定ピン
６    係止部本体（グリップ）
７    保持部本体
【図１】
2006088262.tif 000003
【図２】
2006088262.tif 000004
【図３】
2006088262.tif 000005
【図４】
2006088262.tif 000006
【図５】
2006088262.tif 000007
【図６】
2006088262.tif 000008
【図７】
2006088262.tif 000009
【図８】
2006088262.tif 000010
【図９】
2006088262.tif 000011
【図１０】
2006088262.tif 000012
【図１１】
2006088262.tif 000013
【図１２】
2006088262.tif 000014
【図１３】
2006088262.tif 000015
【図１４】
2006088262.tif 000016